(57)【特許請求の範囲】
【請求項１】
椅子の背凭れを構成する椅子用荷重支持部材であって、
着座者の荷重を受ける荷重支持面が形成された張材と、
前記荷重支持面に沿って互いに離間して配置され、前記張材の端部が取り付けられるとともに、前記張材から作用する力に応じて弾性変形可能な一対の杆体と、
各前記杆体の延在方向に沿うととともに、前記杆体における前記張材側と反対側に、前記荷重支持面の面直方向に離間して配置された補強杆と、
前記杆体と前記補強杆とを連結する連結部と、を備え、
前記連結部は、
前記杆体と前記補強杆とを結ぶ方向、及び前記杆体の前記延在方向を含む面に沿う板状部と、
前記板状部に交差する方向に延びる変形抑制部と、
前記変形抑制部とは異なる位置に形成された変形許容部と、
を備えることを特徴とする椅子用荷重支持部材。
【請求項２】
前記変形抑制部は、前記杆体と前記補強杆とを結ぶ方向に連続し、前記板状部から前記板状部に交差する方向に突出するリブを有し、前記リブが前記杆体の前記延在方向に間隔をあけて複数設けられ、
前記変形許容部は、前記延在方向において互いに隣接する複数の前記リブと前記板状部とに囲まれて形成された凹状部を有することを特徴とする請求項１に記載の椅子用荷重支持部材。
【請求項３】
前記リブは、前記板状部において前記延在方向の一端と他端とにそれぞれ形成されていることを特徴とする請求項２に記載の椅子用荷重支持部材。
【請求項４】
前記凹状部は、前記板状部に対し、他方の前記杆体側に開口するよう形成されていることを特徴とする請求項２又は３に記載の椅子用荷重支持部材。
【請求項５】
前記杆体の一部が前記凹状部に対向する部位で切り欠かれ、前記凹状部は前記張材側に開放されていることを特徴とする請求項２から４のいずれか一項に記載の椅子用荷重支持部材。
【請求項６】
前記連結部は、前記杆体において前記延在方向に交差する幅方向の一部のみに連結されていることを特徴とする請求項１から５の何れか一項に記載の椅子用荷重支持部材。
【請求項７】
前記杆体は、前記荷重支持面に沿う板状に形成されていることを特徴とする請求項１から６のいずれか一項に記載の椅子用荷重支持部材。
【請求項８】
床面に設置される支持構造体と、
前記支持構造体に支持された座体及び背凭れと、を備え、
前記背凭れは、請求項１から７のいずれか一項に記載の椅子用荷重支持部材で構成されていることを特徴とする椅子。
【請求項９】
前記背凭れの上部において前記杆体と前記補強杆とを連結する上部連結部と、
前記背凭れの下部において前記杆体と前記補強杆とを連結する下部連結部と、を備え、
少なくとも前記上部連結部は、前記連結部により形成されていることを特徴とする請求項８に記載の椅子。
【発明の詳細な説明】
【技術分野】
【０００１】
本発明は、椅子用荷重支持部材及び椅子に関する。
【背景技術】
【０００２】
例えば、特許文献１、２に記載のように、座面の後部より起立する背凭れ支持フレームの前方に背凭れを備え、この背凭れが、ネット状の張材と、張材の外周部を保持する補強枠とを備えた構成の椅子が知られている。このような構成では、補強枠は、背凭れ支持フレームに対して取付片や係合部を介して強固に支持されている。
【０００３】
特許文献１、２に記載のような構成において、着座者による荷重が背凭れに作用すると、補強枠に張設された張材のみが面直方向に変位するのに対し、補強枠や背凭れ支持フレーム等の枠部材自体が着座者の荷重に対して十分に変形せず、着座者の身体に沿って安定的に支持することができなかった。また、着座者の荷重が張材の中心から偏心した位置に作用した場合には、補強枠が着座者の身体に接触して硬さを感じたり、不快に感じたりする可能性があった。
【０００４】
そこで、特許文献３に記載のように、張材と、張り材が取り付けられ張り材から作用する力に応じで弾性変形可能な一対の縦枠部と、を備えた椅子が提案されている。この構成では、着座者からの荷重が張り材に作用すると、弾性変形可能な縦枠部は着座者の背に追従するように大きく後方に変形する。
ところで、この特許文献３に記載された構成においては、一対の縦枠部の上端部どうしは上枠部により連結され、上枠部と縦枠部の下部とが背凭れ後部支持部材により連結支持されている。
【先行技術文献】
【特許文献】
【０００５】
【特許文献１】特許第４１０５９１４号公報
【特許文献２】特許第５１３２９１７号公報
【特許文献３】特開２０１４−７９５１０号公報
【発明の概要】
【発明が解決しようとする課題】
【０００６】
上記従来の技術においては、特許文献１、２に記載の補強枠を、特許文献３に記載の縦枠部のように弾性変形可能な構成にしたとしても、補強枠は、その後方の支持フレームに対して取付片や係合部を介して連結される。
したがって、着座者による荷重が作用した場合、補強枠は、取付片や係合部以外の部分では弾性変形するのに対し、取付片や係合部の部分では弾性変形しにくく、着座者が違和感を感じる場合がある。
本発明は上記実情に鑑みてなされたものであり、着座者が背凭れに荷重をかけたときに違和感を感じることを抑え、着座感を向上することのできる椅子用荷重支持部材及び椅子を提供することを目的とする。
【課題を解決するための手段】
【０００７】
本発明は、上記課題を解決するため、以下の手段を採用する。
この発明に係る椅子用荷重支持部材は、椅子の背凭れを構成する椅子用荷重支持部材であって、着座者の荷重を受ける荷重支持面が形成された張材と、前記荷重支持面に沿って互いに離間して配置され、前記張材の端部が取り付けられるとともに、前記張材から作用する力に応じて弾性変形可能な一対の杆体と、各前記杆体の延在方向に沿うととともに、前記杆体における前記張材側と反対側に、前記荷重支持面の面直方向に離間して配置された補強杆と、前記杆体と前記補強杆とを連結する連結部と、を備え、前記連結部は、前記杆体と前記補強杆とを結ぶ方向、及び前記杆体の前記延在方向を含む面に沿う板状部と、前記板状部に交差する方向に延びる変形抑制部と、前記変形抑制部とは異なる位置に形成された変形許容部と、を備えることを特徴とする。
【０００８】
このように構成された椅子用荷重支持部材では、杆体は補強杆と面直方向に離間して配置されている。よって、杆体は、張材から作用する力により、着座者の身体に追従するように弾性変形する。
さらに、杆体と補強杆とを連結する連結部は、板状部の一部に変形抑制部が設けられているので、杆体を強固に支持する一方、変形抑制部とは異なる位置に変形許容部を備えているので、着座者の荷重によって杆体が弾性変形することを許容する。すなわち、連結部は、杆体を支持する所要の強度を確保しつつ、杆体の弾性変形を阻害することを抑えている。
このようにして、着座者が着座して張材の荷重支持面に荷重をかけたときに、杆体自体の硬さを感じて不快感を呈することを抑えることができる。
【０００９】
また、この発明に係る椅子用荷重支持部材は、上記椅子用荷重支持部材において、前記変形抑制部は、前記杆体と前記補強杆とを結ぶ方向に連続し、前記板状部から前記板状部に交差する方向に突出するリブを有し、前記リブが前記杆体の前記延在方向に間隔をあけて複数設けられ、前記変形許容部は、前記延在方向において互いに隣接する複数の前記リブと前記板状部とに囲まれて形成された凹状部を有するようにしてもよい。
このようにして、連結部は、その側面に、変形抑制部としてのリブと板状部とに囲まれた凹状部を形成することで、杆体には、連結部のリブと板状部とが連結される。したがって、杆体において凹状部に対向する部分は、杆体の補強杆側への弾性変形を許容することができる。
【００１０】
また、この発明に係る椅子用荷重支持部材は、上記椅子用荷重支持部材において、前記リブは、前記板状部において前記延在方向の一端と他端とにそれぞれ形成されているようにしてもよい。
このように構成することで、変形抑制部は、板状部において延在方向の一端と他端とで、杆体を強固に支持することができる。
【００１１】
また、この発明に係る椅子用荷重支持部材は、上記椅子用荷重支持部材において、前記凹状部は、前記板状部に対し、他方の前記杆体側に開口するよう形成されているようにしてもよい。
このように構成することで、凹状部が、椅子用荷重支持部材の内方に向かって開口するため、外観が損なわれることを抑えることができる。
【００１２】
また、この発明に係る椅子用荷重支持部材は、上記椅子用荷重支持部材において、前記杆体の一部が前記凹状部に対向する部位で切り欠かれ、前記凹状部は前記張材側に開放されているようにしてもよい。
このように、凹状部が張材側に開放されることで、杆体を、より弾性変形しやすくすることができる。
【００１３】
また、この発明に係る椅子用荷重支持部材は、上記椅子用荷重支持部材において、前記連結部は、前記杆体において前記延在方向に交差する幅方向の一部のみに連結されているようにしてもよい。
このように構成することで、連結部を、杆体の幅方向の一部のみに連結することで、着座者による荷重によって杆体が弾性変形する際、杆体において、連結部が連結されていない幅方向の残部は、容易に弾性変形することができる。これにより、連結部によって杆体の弾性変形を阻害することを、より一層抑えることができる。
【００１４】
また、この発明に係る椅子用荷重支持部材は、上記椅子用荷重支持部材において、前記杆体は、前記荷重支持面に沿う板状に形成されているようにしてもよい。
このように構成することで、杆体は荷重支持面に沿う板状に形成されているため、杆体自体が荷重支持面に沿って変形しやすい。
【００１５】
この発明に係る椅子は、床面に設置される支持構造体と、前記支持構造体に支持された座体及び背凭れと、を備え、前記背凭れは、上記したような椅子用荷重支持部材で構成されていることを特徴とする。
【００１６】
このように構成することで、背凭れは、上記したような椅子用荷重支持部材で構成されているため、連結部は、杆体を支持する所要の強度を確保しつつ、杆体の弾性変形を阻害することを抑えている。したがって、着座者が着座して張材の荷重支持面に荷重をかけたときに、杆体自体の硬さを感じて不快感を呈することを抑えることができる。
【００１７】
また、この発明に係る椅子は、上記椅子において、前記背凭れの上部において前記杆体と前記補強杆とを連結する上部連結部と、前記背凭れの下部において前記杆体と前記補強杆とを連結する下部連結部と、を備え、少なくとも前記上部連結部は、前記連結部により形成されているようにしてもよい。
このように構成することで、背凭れの少なくとも上部において、着座者が着座して張材の荷重支持面に荷重をかけたときに、杆体自体の硬さを感じて不快感を呈することを抑えることができる。
【発明の効果】
【００１８】
この発明に係る椅子用荷重支持部材及び椅子によれば、着座者が背凭れに荷重をかけたときに違和感を感じることを抑え、着座感を向上することができる。
【図面の簡単な説明】
【００１９】
【図１】本発明の一実施形態に係る椅子を側方から見た斜視図である。
【図２】本発明の一実施形態に係る椅子を後方（背凭れ側）から見た斜視図である。
【図３】図２のＡ−Ａ断面図である。
【図４】図２のＢ−Ｂ断面図である。
【図５】上部連結部を、背凭れの後方かつ幅方向外側から見た斜視図である。
【図６】上部連結部を、背凭れの後方かつ幅方向内側から見た斜視図である。
【図７】下部連結部を、背凭れの後方かつ幅方向内側から見た斜視図である。
【発明を実施するための形態】
【００２０】
以下、本発明の一実施形態に係る椅子について、図面を参照して説明する。
図１は、本発明の一実施形態に係る椅子を側方から見た斜視図である。図２は、本発明の一実施形態に係る椅子を後方（背凭れ側）から見た斜視図である。
【００２１】
この図１及び図２に示すように、椅子１００は、床面Ｆ上に設置される脚部１と、脚部１の上部に設置される不図示のボックス状の支基２と、支基２の上部に取り付けられた座受け部材３と、座受け部材３にスライド可能に支持され着座者が着座する座体４と、支基２から延び座体４に着座した着座者の背中を支持する背凭れ（椅子用荷重支持部材）７と、を備えている。
以下の説明において、便宜上、座体４に着座した着座者が前を向く方向を「前方」、その反対方向を「後方」と称する。また、椅子１００が設置される床面Ｆ側とその反対側を結ぶ方向を「上下方向」と称する。また、椅子１００の幅方向、つまり前後方向と直交する水平方向を「幅方向」と称する。また、図中において、前方を矢印ＦＲで示し、上方を矢印ＵＰで示し、幅方向の左方を矢印ＬＨで示す。
【００２２】
脚部１は、キャスタ１１Ａ付きの多岐脚１１と、多岐脚１１の中央部より起立し昇降機構であるガススプリング（不図示）を内蔵する脚柱１２と、を有している。
【００２３】
脚柱１２の下部を構成する外筒１３は、多岐脚１１に回転不能に嵌合して支持されている。脚柱１２の上部を構成する内筒１４は、上端部に支基２を固定して支持するとともに、下部が外筒１３に水平方向で回転可能に支持されている。
【００２４】
支基２には、脚柱１２の昇降調整機構と背凭れ７の傾動調整機構が内蔵されている。
【００２５】
座受け部材３は、支基２の上部に取り付けられた４本のリンクアーム（不図示。以下同じ。）と、リンクアームどうしを連結する左右一対の固定フレーム（不図示。以下同じ。）と、を有している。
本実施形態では、脚部１、支基２及び座受け部材３が支持構造体３０を構成している。
【００２６】
座体４は、座フレーム４０と、座フレーム４０に張設された張材４１と、を有している。張材４１の上面は、着座者の荷重を受ける荷重支持面４１ｆとされている。
【００２７】
背凭れ７は、背フレーム７０と、背フレーム７０に張設された張材７１と、を有している。張材７１の前面は、着座者の荷重を受ける荷重支持面７１ｆとされている。
【００２８】
背フレーム７０は、支基２に連結され、背フレーム７０の強度を担う強度部材である背後枠７０Ｂと、背後枠７０Ｂの前方に設けられた背前枠８０Ｆと、を有している。
【００２９】
背後枠７０Ｂは、下辺部７２と、側辺部（補強杆）７３と、上辺部７４と、を有している。下辺部７２と側辺部７３と上辺部７４とは、例えばアルミ等の金属または所定の強度を有する樹脂等により一体に形成されている。
【００３０】
下辺部７２は、支基２内の傾動調整機構に連結され、支基２の後部の左右両側から延びている。下辺部７２は、上方に向かうにしたがって次第に後方に向かって傾斜されている。また、各下辺部７２には、座体４の側方に配置される肘掛け７５が設けられている。
【００３１】
各下辺部７２の上端部には、側辺部７３が連続して形成されている。各側辺部７３は、上方に向かうにしたがって次第に幅方向の外側に向かって傾斜している。
【００３２】
側辺部７３の下部７３ａは、上方に向かうにしたがって次第に前方に向かって傾斜している。側辺部７３の上部７３ｂは、上方に向かうにしたがって次第に後方に向かって傾斜している。各側辺部７３の上部どうしは、上辺部７４で連結されている。
【００３３】
背前枠８０Ｆは、幅方向に（荷重支持面に沿って）離間して配置された一対の縦杆（補強杆）８６と、一対の縦杆８６の上端どうしを連結する上杆８７と、を有している。縦杆８６及び上杆８７は、例えば樹脂等で一体として形成されている。縦杆８６及び上杆８７は、張材７１から作用する力に応じて弾性変形可能に構成されている。
【００３４】
図２に示すように、各縦杆８６は、上下方向に沿って延びている。詳細には、縦杆８６は、下方に向かうにしたがって次第に幅方向の内側に向かって傾斜している。一対の縦杆８６の下端どうしは、Ｕ字状の連結部８９を介して互いに連結されている。
【００３５】
図３は、図２のＡ−Ａ断面図である。図４は、図２のＢ−Ｂ断面図である。
図３及び図４に示すように、縦杆８６は、荷重支持面７１ｆと直交する面直方向に沿った断面（幅方向に沿った水平断面）において、荷重支持面７１ｆに沿うとともに幅方向に幅広な板状をなしている。
【００３６】
縦杆８６は、その幅方向の内側の端部８６Ｊ側に向かうにしたがって、面直方向の厚みが薄くなるように形成されている。
【００３７】
縦杆８６の幅方向の外側の端部８６Ｋには、内方に向かって凹む溝８８が形成されている。溝８８に、張材７１の端部７１ｅが巻き込まれている。
【００３８】
図１に示すように、背前枠８０Ｆの各縦杆８６の上部と下部には、それぞれ、後方に向かって延びる上部連結部（連結部）５０と、側辺部７３の下部に連結された下部連結部（連結部）６０と、が一体に形成されている。上部連結部５０及び下部連結部６０は、背前枠８０Ｆの各縦杆８６と背後枠７０Ｂの側辺部７３とを連結する。
【００３９】
図５は、上部連結部を、背凭れの後方かつ幅方向外側から見た斜視図である。図６は、上部連結部を、背凭れの後方かつ幅方向内側から見た斜視図である。
図５、図６に示すように、上部連結部５０は、縦杆８６から後方に延びるとともに、後方に向かうにしたがって次第に幅方向の内側に延びている。この上部連結部５０は、縦杆８６の延在方向に交差する幅方向において、縦杆８６の全幅のうちの一部（幅方向内側）のみに一体に連結されている。図３、図５、図６に示すように、上部連結部５０は、板状部５１と、リブ（変形抑制部）５２Ａ，５２Ｂと、凹状部（変形許容部）５３と、を備える。
【００４０】
板状部５１は、縦杆８６と背後枠７０Ｂの側辺部７３とを結ぶ前後方向、及び縦杆８６の延在方向を含む上下面に沿うよう形成されている。この実施形態において、板状部５１は、前方から後方に向かって、上下方向の高さが漸次小さくなるよう形成されている。
【００４１】
リブ５２Ａ，５２Ｂは、縦杆８６と背後枠７０Ｂの側辺部７３とを結ぶ方向に連続し、板状部５１に交差する方向に突出して形成されている。この実施形態において、リブ５２Ａ，５２Ｂは、板状部５１において縦杆８６の延在方向の一端と他端、すなわち板状部５１の上端と下端とに沿って形成されている。さらに、リブ５２Ａ，５２Ｂは、板状部５１に対し、他方の側辺部７３側、つまり背凭れ７の幅方向の内側に向かって延びるよう形成されている。
【００４２】
凹状部５３は、縦杆８６の延在方向である上下方向において互いに隣接する複数のリブ５２Ａ，５２Ｂと板状部５１とに囲まれて形成されている。ここで、リブ５２Ａ，５２Ｂは、背凭れ７の幅方向の内側に向かって延びて形成されているので、凹状部５３は、板状部５１に対し、他方の縦杆８６側、つまり背凭れ７の幅方向の内側に開口するよう形成されている。
【００４３】
このようにして、上部連結部５０は、板状部５１に沿ってリブ５２Ａ，５２Ｂとは異なる位置に、縦杆８６の弾性変形を許容する凹状部５３を備えている。これにより、上部連結部５０は、縦杆８６に対し、上部連結部５０のリブ５２Ａ，５２Ｂと板状部５１とが連結される。したがって、縦杆８６において凹状部５３に対向する部分は上部連結部５０に連結されていない。なお、この実施形態において、縦杆８６の一部である幅方向内側の端部８６Ｊは、上部連結部５０のリブ５２Ａとリブ５２Ｂとの間の凹状部５３に対向する部位で切り欠かれ、凹状部５３を張材７１側に開放している。
【００４４】
図３に示すように、このような上部連結部５０は、その後端部５０ｓが、背後枠７０Ｂの側辺部７３の上部７３ｂにボルト５５により固定されている。
【００４５】
図７は、下部連結部を、背凭れの後方かつ幅方向内側から見た斜視図である。
図４、図７に示すように、下部連結部６０は、縦杆８６から後方に延びるとともに、後方に向かうにしたがって次第に幅方向の内側に延びている。下部連結部６０は、板状部６１と、リブ（変形抑制部）６２Ａ，６２Ｂと、凹状部（変形許容部）６３と、を備える。
【００４６】
板状部６１は、縦杆８６と背後枠７０Ｂの側辺部７３とを結ぶ前後方向、及び縦杆８６の延在方向を含む上下面に沿うよう形成されている。板状部６１は、前方から後方に向かって、その上下方向の高さが漸次小さくなるよう形成されている。
【００４７】
リブ６２Ａ，６２Ｂは、縦杆８６と背後枠７０Ｂの側辺部７３とを結ぶ方向に連続し、板状部６１に交差する方向に突出して形成されている。この実施形態において、リブ６２Ａ，６２Ｂは、板状部６１において縦杆８６の延在方向の一端と他端、すなわち板状部６１の上端と下端とに沿って形成されている。さらに、リブ６２Ａ，６２Ｂは、板状部６１に対し、他方の側辺部７３側、つまり背凭れ７の幅方向の内側に向かって延びるよう形成されている。
【００４８】
凹状部６３は、縦杆８６の延在方向である上下方向において互いに隣接する複数のリブ６２Ａ，６２Ｂと板状部６１とに囲まれて形成されている。ここで、リブ６２Ａ，６２Ｂは、背凭れ７の幅方向の内側に向かって延びて形成されているので、凹状部６３は、板状部６１に対し、他方の縦杆８６側、つまり背凭れ７の幅方向の内側に開口するよう形成されている。
【００４９】
このようにして、下部連結部６０は、板状部６１に沿ってリブ６２Ａ，６２Ｂとは異なる位置に、縦杆８６の弾性変形を許容する凹状部６３を備えている。これにより、下部連結部６０は、縦杆８６に対し、下部連結部６０のリブ６２Ａ，６２Ｂと板状部６１とが連結される。したがって、縦杆８６において凹状部６３に対向する部分８６ｐは下部連結部６０に連結されていない。
【００５０】
図４に示すように、このような下部連結部６０は、その後端部６０ｓが、背後枠７０Ｂの側辺部７３の下部７３ａにボルト６５により固定されている。
背後枠７０Ｂの側辺部７３の下部７３ａには、固定コマ７６がボルト７７で固定されている。下部連結部６０は、その後端部６０ｓが、固定コマ７６に外嵌している。下部連結部６０と固定コマ７６とは、抜け止めピン７８により固定されている。
【００５１】
このように構成された椅子１００では、背凭れ７において、縦杆８６は側辺部７３よりも前方に配置されている。よって、縦杆８６は、張材７１から作用する力により、縦杆８６と側辺部７３との前後方向の離間距離に対応して、着座者の身体に追従するように弾性変形する。また、張材７１の端部７１ｅが、縦杆８６の幅方向の外側の端部８６Ｋに固定されているため、荷重支持面７１ｆに着座者による荷重が作用すると、縦杆８６は端部８６Ｋ側が前方に向かって変位し、着座者の身体側に立ち上がって身体を側方から包み込むように変形する。したがって、着座者は、安定した状態で着座することができる。
また、着座者が張材７１の荷重支持面７１ｆの中央からずれた位置に着座しても、縦杆８６自体が弾性変形して撓むため、縦杆８６自体の硬さを感じて不快感を呈することがない。
【００５２】
さらに、縦杆８６と背後枠７０Ｂの側辺部７３とを連結する上部連結部５０，下部連結部６０は、板状部５１，６１の一部にリブ５２Ａ，５２Ｂ、６２Ａ，６２Ｂが設けられているので、縦杆８６を強固に支持する一方、リブ５２Ａ，５２Ｂ、６２Ａ，６２Ｂとは異なる位置に凹状部５３，６３を備えているので、着座者の荷重によって縦杆８６が弾性変形することを許容する。すなわち、上部連結部５０，下部連結部６０は、縦杆８６を支持する所要の強度を確保しつつ、縦杆８６の弾性変形を阻害することを抑えている。
このようにして、着座者が着座して張材７１の荷重支持面７１ｆに荷重をかけたときに、上部連結部５０，下部連結部６０が設けられている部分で縦杆８６自体の硬さを感じて不快感を呈することを抑えることができる。
【００５３】
また、上部連結部５０，下部連結部６０は、その側面に、リブ５２Ａ，５２Ｂ、６２Ａ，６２Ｂと板状部５１，６１とに囲まれた凹状部５３，６３を形成している。これにより、縦杆８６には、上部連結部５０，下部連結部６０のリブ５２Ａ，５２Ｂ、６２Ａ，６２Ｂと板状部５１，６１とが連結される。したがって、縦杆８６において凹状部５３，６３に対向する部分においては、縦杆８６の背後枠７０Ｂの側辺部７３側への弾性変形を許容することができる。
【００５４】
また、リブ５２Ａ，５２Ｂ、６２Ａ，６２Ｂは、板状部５１，６１において延在方向の一端と他端とにそれぞれ形成されているので、上部連結部５０，下部連結部６０は、縦杆８６を強固に支持することができる。
【００５５】
また、凹状部５３，６３は、板状部５１，６１に対し、背凭れ７の内方に向かって開口するため、外観が損なわれることを抑えることができる。
【００５６】
また、縦杆８６の一部である幅方向内側の端部８６Ｊが凹状部５３に対向する部位で切り欠かれ、凹状部５３が張材７１側に開放されているので、縦杆８６の背後枠７０Ｂの側辺部７３側への弾性変形を、より容易に生じやすくすることができる。
【００５７】
また、上部連結部５０は、縦杆８６において延在方向に交差する幅方向内側の一部のみに連結されている。このように構成することで、着座者による荷重によって縦杆８６が弾性変形する際、縦杆８６において、上部連結部５０が連結されていない幅方向外側の残部（端部８６Ｋ）は、上部連結部５０に連結された幅方向内側の端部８６Ｊ側を中心として前方に立ち上がるようにして容易に弾性変形することができる。これにより、上部連結部５０によって縦杆８６の弾性変形を阻害することを、より一層抑えることができる。
【００５８】
また、縦杆８６は荷重支持面７１ｆに沿う板状に形成されているため、縦杆８６自体が荷重支持面７１ｆに沿って変形しやすい。よって、縦杆８６は張材７１に引っ張られて、着座者の身体を側方から包み込むように、一層変位しやすい。
【００５９】
このようにして、上記背凭れ７及び椅子１００によれば、着座者が背凭れ７に荷重をかけたときに違和感を感じることを抑え、着座感を向上することができる。
【００６０】
なお、本発明は、図面を参照して説明した上述の実施形態に限定されるものではなく、その技術的範囲において様々な変形例が考えられる。
例えば、上記実施形態では、上部連結部５０，下部連結部６０の双方に凹状部５３，６３を形成するようにしたが、少なくとも上部連結部５０に凹状部５３を備えていればよく、下部連結部６０には凹状部６３を備えない構成としてもよい。
このように構成することで、背凭れ７の少なくとも上部において、着座者が着座して張材７１の荷重支持面７１ｆに荷重をかけたときに、縦杆８６が弾性変形しやすくする一方で、背凭れ７の下部においては、凹状部６３を備えない下部連結部６０によって縦杆８６を強固に支持し、高いホールド感を提供することもできる。
【００６１】
また、上記に示す実施形態では、リブ５２Ａ，５２Ｂ、６２Ａ，６２Ｂを、板状部５１，６１の上端と下端とに沿うように設けたが、リブ５２Ａ，５２Ｂ、６２Ａ，６２Ｂは、板状部５１，６１の上端、下端よりも、板状部５１，６１の上下方向中間部側にオフセットした部位に形成してもよい。さらに、板状部５１，６１に、二つのリブリブ５２Ａ，５２Ｂ、６２Ａ，６２Ｂを形成したが、一つ、あるいは三つ以上のリブを設けるようにしてもよい。
さらに、上記に示す実施形態では、凹状部５３，６３を、板状部５１，６１に対して背凭れ７の幅方向の内側に開口するようにしたが、これに限らず、凹状部５３，６３を、背凭れ７の幅方向の外側に開口するようにしてもよい。
【００６２】
また、上記に示す実施形態では、背凭れ７が、本発明にかかる椅子用荷重支持部材で構成されているが、本発明はこれに限られず、座体４のみ、または座体４及び背凭れ７の両方を、本発明にかかる椅子用荷重支持部材で構成してもよい。
【００６３】
また、上記に示す実施形態では、縦杆８６は、それぞれ荷重支持面７１ｆに沿う板状に形成されているが、本発明はこれに限られず、板状に形成されていなくてもよい。
そして、上記実施形態における構成は本発明の一例であり、当該発明の要旨を逸脱しない範囲で種々の変更が可能である。
【符号の説明】
【００６４】
４…座体
７…背凭れ（椅子用荷重支持部材）
３０…支持構造体
５０…上部連結部（連結部）
５１…板状部
５２Ａ、５２Ｂ…リブ（変形抑制部）
５３…凹状部（変形許容部）
６０…下部連結部（連結部）
６１…板状部
６２Ａ，６２Ｂ…リブ（変形抑制部）
６３…凹状部（変形許容部）
７１…張材
７１ｆ…荷重支持面
７３…側辺部（補強杆）
７３ａ…下部
７３ｂ…上部
８６…縦杆（杆体）
１００…椅子
Ｆ…床面
【図１】
0006695219.tif 000002
【図２】
0006695219.tif 000003
【図３】
0006695219.tif 000004
【図４】
0006695219.tif 000005
【図５】
0006695219.tif 000006
【図６】
0006695219.tif 000007
【図７】
0006695219.tif 000008